(57)【要約】【課題】シンクやカウンター等の天板の取付孔に対して上側から容易に固定することが可能な水栓取付装置を提供する。【解決手段】水栓取付装置１に、水栓Ｓが取付けられる円筒状の上固定部材２と、上固定部材２から下方へ延出している六角柱状のガイド部材６と、上固定部材２を貫通している第一雄ネジ部４ｂ、第一雄ネジ部４ｂから下方へ棒状に延びている軸部４ｃ、及び軸部４ｃの下端から外方へ延出している延出部４ｄ、を有し下端がガイド部材６の下端と略同じ高さの第一雄ネジ部材４と、上固定部材２を貫通している第二雄ネジ部５ｂ、を有した第二雄ネジ部材５と、平面視の外形がＣ字状に形成されておりガイド部材６が摺動可能且つ回転不能に貫通していると共に、第一雄ネジ部４ｂ及び第二雄ネジ部５ｂと螺合する第一雌ネジ孔３ｂ及び第二雌ネジ孔３ｃを有している下固定部材３と、を具備させる。【選択図】図１
2014205950.tif 000002
【特許請求の範囲】
【請求項１】
水栓が取付けられる円筒状の上本体部、該上本体部の下端外周面から外方へ延出している円環状のフランジ部、前記上本体部を上下に貫通している第一貫通孔、及び該第一貫通孔とは異なる位置で前記上本体部を上下に貫通している第二貫通孔を有している上固定部材と、
該上固定部材の前記上本体部において前記第一貫通孔に隣接した位置から下方へ延出しており、外周が多角形に形成されている棒状のガイド部材と、
前記第一貫通孔よりも大径の第一頭部、該第一頭部から下方へ棒状に延びており外径が前記貫通孔よりも小径で外周に雄ネジが形成されている第一雄ネジ部、及び該第一雄ネジ部の外径よりも外方へ延出している延出部、を有しており、前記第一頭部よりも下側が前記第一貫通孔に挿入されていると共に、前記第一頭部を前記上本体部の上面に当接させた時に下端が前記ガイド部材の下端と略同じ高さとなる長さに形成されている第一雄ネジ部材と、
前記第二貫通孔よりも大径の第二頭部、及び該第二頭部から下方へ棒状に延びており外径が前記貫通孔よりも小径で外周に雄ネジが形成されている第二雄ネジ部、を有しており、前記第二頭部よりも下側が前記第二貫通孔に挿入されている第二雄ネジ部材と、
平面視の外形がＣ字状に形成されている下本体部、該下本体部を上下に貫通しており前記ガイド部材が摺動可能且つ回転不能に挿入されているガイド孔、前記下本体部を上下に貫通しており内周面に前記第一雄ネジ部と螺合する雌ネジが形成されている第一雌ネジ孔、及び前記下本体部を上下に貫通しており内周面に前記第二雄ネジ部と螺合する雌ネジが形成されている第二雌ネジ孔、を有している下固定部材と
を具備していることを特徴とする水栓取付装置。
【請求項２】
前記上本体部は、
内周面から膨出しており、前記第一貫通孔及び前記第二貫通孔が貫通していると共に、前記ガイド部材が下方へ延出している膨出部を備えていることを特徴とする請求項１に記載の水栓取付装置。
【請求項３】
前記第一雄ネジ部材は、
前記第一雄ネジ部の下端から下方へ棒状に延びており外径が該第一雄ネジ部よりも小径の軸部を更に有しており、
該軸部の下端に前記延出部が備えられていることを特徴とする請求項１又は請求項２に記載の水栓取付装置。
【発明の詳細な説明】
【技術分野】
【０００１】
本発明は、シンクやカウンター等の天板に形成されている取付孔に対して、上側から水栓を取付けるために用いられる水栓取付装置に関する。
【背景技術】
【０００２】
シンクやカウンター等の天板に形成されている取付孔に対して、上側から水栓を取付けるための水栓取付装置としては、例えば、水栓が取付けられる円筒状の台座と、台座の下側に配置される円環状の座金具と、上側から台座を通して座金具に接続されている可撓性を有した連結材と、台座の貫通孔を通して座金具のネジ孔に締結可能な雄ネジ部材と、を備えた水栓取付装置が提案されている（特許文献１）。
【０００３】
この特許文献１の水栓取付装置は、円環状の座金具が半円弧状に折り畳むことができ、座金具を折り畳んだ状態で、天板の取付孔に上側から座金具を挿入し、天板の下側で折り畳んだ座金具を展開させると共に、連結材により座金具を引上げて天板の下面に密着させ、台座の貫通孔を通して座金具のネジ孔に雄ネジ部材を締結する。これにより、台座と座金具とによって天板が挟持され、天板の上側に台座が固定された状態となる。そして、天板の上側に固定された台座に水栓を取付けることによって、取付孔に対して上側から水栓を取付けることができる。
【０００４】
ところで、特許文献１の水栓取付装置では、折り畳んだ座金具を、取付孔を通して天板の下側で展開させなければならず、座金具の展開に手間がかかる問題があった。これに対して、この折り畳み可能な円環状の座金具を、馬蹄形状に形成された挟み込み部材に置き換え、挟み込み部材の一方の先端から取付孔に挿入して天板の下側へ位置させることができるようにした水栓取付装置が提案されている（特許文献２）。
【０００５】
しかしながら、特許文献１及び特許文献２の水栓取付装置では、取付孔を通して天板の下側に配置した座金具や挟み込み部材に対して、台座の貫通孔を通して座金具等のネジ孔に雄ネジ部材を締結させる際に、座金具等を引上げる連結材が可撓性を有しているため、台座の貫通孔と座金具等のネジ孔との位置が合わせ難く、雄ネジ部材の締結作業、つまり、台座の固定作業に手間がかかる問題があった。
【発明の概要】
【発明が解決しようとする課題】
【０００６】
そこで、本発明は上記の実情に鑑み、シンクやカウンター等の天板の取付孔に対して上側から容易に固定することが可能な水栓取付装置の提供を課題とする。
【課題を解決するための手段】
【０００７】
上記の課題を解決するために、本発明に係る水栓取付装置は、「水栓が取付けられる円筒状の上本体部、該上本体部の下端外周面から外方へ延出している円環状のフランジ部、前記上本体部を上下に貫通している第一貫通孔、及び該第一貫通孔とは異なる位置で前記上本体部を上下に貫通している第二貫通孔を有している上固定部材と、該上固定部材の前記上本体部において前記第一貫通孔に隣接した位置から下方へ延出しており、外周が多角形に形成されている棒状のガイド部材と、前記第一貫通孔よりも大径の第一頭部、該第一頭部から下方へ棒状に延びており外径が前記貫通孔よりも小径で外周に雄ネジが形成されている第一雄ネジ部、及び該第一雄ネジ部の外径よりも外方へ延出している延出部、を有しており、前記第一頭部よりも下側が前記第一貫通孔に挿入されていると共に、前記第一頭部を前記上本体部の上面に当接させた時に下端が前記ガイド部材の下端と略同じ高さとなる長さに形成されている第一雄ネジ部材と、前記第二貫通孔よりも大径の第二頭部、及び該第二頭部から下方へ棒状に延びており外径が前記貫通孔よりも小径で外周に雄ネジが形成されている第二雄ネジ部、を有しており、前記第二頭部よりも下側が前記第二貫通孔に挿入されている第二雄ネジ部材と、平面視の外形がＣ字状に形成されている下本体部、該下本体部を上下に貫通しており前記ガイド部材が摺動可能且つ回転不能に挿入されているガイド孔、前記下本体部を上下に貫通しており内周面に前記第一雄ネジ部と螺合する雌ネジが形成されている第一雌ネジ孔、及び前記下本体部を上下に貫通しており内周面に前記第二雄ネジ部と螺合する雌ネジが形成されている第二雌ネジ孔、を有している下固定部材とを具備している」ことを特徴とする。
【０００８】
ここで、「多角形」としては、四角形、六角形、等を例示することができる。また、「延出部」としては、軸部に対して着脱自在としても良いし、軸部に取外し不能とされていても良い。
【０００９】
本発明の水栓取付装置は、シンクやカウンター等の天板の水栓を取付ける位置において、上本体部を貫通している第一貫通孔及び第二貫通孔が臨む内径の取付孔に対して、上側から固定することができる。具体的には、まず、第二雄ネジ部材を上固定部材から外し、第一貫通孔に挿入されている第一雄ネジ部材の第一頭部を上本体部の上面に当接させると共に、第一雄ネジ部材の下端の延出部に下固定部材を当接させた状態とする。これにより、上固定部材からガイド部材と第一雄ネジ部材が隣接した状態で下方へ延出していると共に、それらガイド部材と第一雄ネジ部材の下端に下固定部材が位置し、上固定部材に対して下固定部材が最も離れた状態となる。
【００１０】
この状態で、天板の取付孔に上側から下固定部材を傾けた状態で挿入し、天板の下側に下固定部材を位置させてから、天板に上固定部材を載置する。そして、第一雄ネジ部材を上方へ移動させることにより、第一雄ネジ部材の下端の延出部に当接している下固定部材を、第一雄ネジ部材と共に上昇させ、下固定部材を天板の下面に当接させる。この際に、ガイド部材が、下固定部材のガイド孔に摺動可能且つ回転不能に挿入されていることから、下固定部材は上下に延びた軸周りに対して回転することなく上昇する。つまり、下固定部材は、その第二雌ネジ孔が、上固定部材の第二貫通孔に対して同軸上に位置したままの状態で上昇する。
【００１１】
そして、下固定部材を天板の下面に当接させた状態で、上固定部材の第二貫通孔に上側から第二雄ネジ部材の第二雄ネジ部を挿入して、第二雄ネジ部材を締め付ける方向へ回転させると、第二雄ネジ部が下固定部材の第二雌ネジ孔と螺合することとなる。この状態で第二雄ネジ部材を締め付けることにより、第二雄ネジ部材側において上固定部材と下固定部材とで天板が挟まれた状態で締結される。
【００１２】
その後、第一雄ネジ部材を締め付ける方向へ回転させて第一雄ネジ部材を締め付けることにより、第一雄ネジ部材側においても上固定部材と下固定部材とで天板が挟まれた状態で締結される。これにより、天板に水栓取付装置が固定された状態となり、この水栓取付装置の上固定部材に水栓を取付けることにより、天板に水栓を取付けることができる。
【００１３】
このように、本発明の水栓取付装置によれば、天板に形成されている取付孔に対して、上側から下固定部材を挿入させた上で、第一雄ネジ部材を介して上方へ移動させて天板の下面に当接させるだけで、上固定部材の第二貫通孔と、下固定部材の第二雌ネジ孔とを一致させることができるため、第二雄ネジ部材を第二雌ネジ孔へ簡単に螺合させることができ、水栓取付装置を天板の取付孔に対して上側から容易に固定することができる。
【００１４】
本発明に係る水栓取付装置は、上記の構成に加えて、「前記上本体部は、内周面から膨出しており、前記第一貫通孔及び前記第二貫通孔が貫通していると共に、前記ガイド部材が下方へ延出している膨出部を備えている」ことを特徴としても良い。
【００１５】
ここで、「膨出部」としては、上本体部の内周面において周方向の一部から膨出していても良いし、全周に亘って膨出していても良い。また、膨出部は、第一貫通孔及び第二貫通孔と夫々対応した位置で内周面から膨出していても良い。つまり、第一貫通孔及び第二貫通孔に対して夫々一つずつ膨出部を備えても良い。
【００１６】
本発明の水栓取付装置によれば、円筒状の上本体部の内側に第一貫通孔や第二貫通孔、及びガイド部材が配置されることとなるため、第一貫通孔や第二貫通孔を上本体部の円筒部分で貫通させるようにした場合と比較して、上本体部の外径を同じとした場合、上本体部の内径（内側の広さ）を相対的に大きくすることができる。従って、水栓の下端から下方へ延出している供給管を、筒状の上本体部に対して通し易くすることができ、水栓の取付作業を行い易くすることができる。
【００１７】
また、本発明に係る水栓取付装置は、上記の構成に加えて、「前記第一雄ネジ部材は、前記第一雄ネジ部の下端から下方へ棒状に延びており外径が該第一雄ネジ部よりも小径の軸部を更に有しており、該軸部の下端に前記延出部が備えられている」ことを特徴としても良い。
【００１８】
ところで、第一雄ネジ部や第二雄ネジ部の長さとしては、本発明の水栓取付装置が固定される天板の厚さに対して、下固定部材の厚さ（上下方向の高さ）を加えた長さが少なくとも必要である。これら第一雄ネジ部等が最小限の長さの場合では、天板に固定する前の上固定部材と下固定部材との間が狭くなるため、下固定部材を取付孔に挿入しようとすると、上固定部材が天板に当ってしまい、取付孔に挿入させることができなくなる問題がある。そこで、第一雄ネジ部等を充分に長くして上固定部材から下固定部材が遠く離れるようにすることにより、下固定部材を取付孔に挿入させる時に上固定部材が天板に当らないようにして、取付孔へ挿入させられるようにすることが考えられる。しかしながら、第一雄ネジ部等を充分に長くした場合、第一雌ネジ孔や第二雌ネジ孔に螺合させて締め付ける際に、第一雄ネジ部材や第二雄ネジ部材を回転させる回数が必要以上に多くなり、固定作業に手間がかかる問題が生じる。
【００１９】
これに対して、本発明では、第一雄ネジ部材の第一雄ネジ部の下端に小径の軸部を備えると共に、その軸部の下端に延出部を備えているため、例えば、第一雄ネジ部の長さを必要最小限の長さとした場合、軸部の下端に下固定部材を位置させることにより上固定部材から下固定部材を充分に離すことができ、下固定部材を取付孔へ挿入し易くすることができると共に、第一雄ネジ部材により締結させる際に、第一雄ネジ部材を回転させる回数を必要最小限にすることができ、固定作業にかかる手間を少なくすることができる。
【発明の効果】
【００２０】
このように、本発明によれば、シンクやカウンター等の天板の取付孔に対して上側から容易に固定することが可能な水栓取付装置を提供できる。
【図面の簡単な説明】
【００２１】
【図１】本発明の一実施形態である水栓取付装置を天板の取付孔に固定した状態を示す正面図である。
【図２】（ａ）は図１の水栓取付装置を単品で示す上から見た斜視図であり、（ｂ）は（ａ）を下から見た斜視図である。
【図３】天板の取付孔に対して図１の水栓取付装置の固定方法を示す説明図である。
【図４】図３に続く固定方法を示す説明図である。
【図５】図４に続く固定方法を示す説明図である。
【発明を実施するための形態】
【００２２】
本発明の一実施形態である水栓取付装置１について、図１及び図２を参照して詳細に説明する。本実施形態の水栓取付装置１は、シンクやカウンター等の天板Ｔに形成されている取付孔Ｈに、上側から水栓Ｓを取付けるために用いられる。水栓取付装置１は、水栓Ｓが取付けられると共に天板Ｔの上側に取付孔Ｈを覆うように載置される上固定部材２と、天板Ｔを挟んで上固定部材２の下側に配置される下固定部材３と、天板Ｔを挟んで上固定部材２と下固定部材３とを締結する第一雄ネジ部材４及び第二雄ネジ部材５と、上固定部材２から下固定部材３を貫通して下方へ延出する六角柱状のガイド部材６と、を備えている。図１では、水栓Ｓとして湯水混合水栓を記載しており、水栓Ｓの下端から水側と湯側の二つの供給管Ｓ１が下方へ延出している。
【００２３】
上固定部材２は、水栓Ｓが取付けられる円筒状の上本体部２ａと、上本体部２ａの下端外周面から外方へ延出している円環状のフランジ部２ｂと、上本体部２ａの内周面において周方向の一部から膨出している第一膨出部２ｃと、第一膨出部２ｃとは上本体部２ａの内周面において周方向の異なる位置から膨出している第二膨出部２ｄと、第一膨出部２ｃを上下に貫通している第一貫通孔２ｅと、第二膨出部２ｄを上下に貫通している第二貫通孔２ｆと、を備えている。また、上固定部材２は、上本体部２ａの外周面の下部において内周側へ凹んでいる環状の保持溝２ｇと、上本体部２ａの外周面を貫通していると共に内面に雌ネジが形成されている水栓固定孔２ｈと、を備えている。
【００２４】
上固定部材２は、円筒状の上本体部２ａの内径が、天板Ｔの取付孔Ｈの内径と略同じに形成されている。また、フランジ部２ｂの外径は、取付孔Ｈよりも大径に形成されている。第一膨出部２ｃ及び第二膨出部２ｄは、上面が上本体部２ａの上面よりも下方へ窪んでいる。また、第一膨出部２ｃ及び第二膨出部２ｄは、下面が、上本体部２ａの下面よりも下方へ突出している。詳細な図示は省略するが、第一膨出部２ｃ及び第二膨出部２ｄは、上本体部２ａの図１において左右方向の中心を通る線に対して対称に形成されていると共に、上本体部２ａの中心よりも図１において紙面の奥側に夫々形成されている。これにより、水栓Ｓから下方へ延びている供給管Ｓ１を、上本体部２ａ内を貫通させるためのスペースが確保されている。本実施形態では、図１において左側を第一膨出部２ｃ、右側を第二膨出部２ｄとしている。
【００２５】
第一貫通孔２ｅ及び第二貫通孔２ｆは、第一膨出部２ｃ及び第二膨出部２ｄにおいて可及的に互いに遠ざかった位置に形成されている。第一膨出部２ｃでは、その下面の第一貫通孔２ｅに隣接した位置にガイド部材６の上端側が固定されている。これにより、第一膨出部２ｃからガイド部材６が下方へ延出した状態となる。保持溝２ｇには、上本体部２ａの外周と水栓Ｓの下端内周との間のガタツキを防止するためのゴム等の弾性体からなるＯリング７が装着保持される。
【００２６】
下固定部材３は、平面視の外形がＣ字状に形成されている下本体部３ａと、下本体部３ａを上下に貫通しており内周面に同じ雌ネジが形成されている第一雌ネジ孔３ｂ及び第二雌ネジ孔３ｃと、第一雌ネジ孔３ｂに隣接した位置で下本体部３ａを上下に貫通しておりガイド部材６が挿入されているガイド孔３ｄと、を備えている。また、下固定部材３は、上面の全面に上端が尖った複数の突部３ｅを備えている。下固定部材３は、上下の高さが、上固定部材２の高さの約１／２に形成されている。本実施形態では、図１において左側を第一雌ネジ孔３ｂ、右側を第二雌ネジ孔３ｃとしている。
【００２７】
下固定部材３の下本体部３ａは、Ｃ字状の外周側が、上固定部材２のフランジ部２ｂの外径よりも大径の円弧状に形成されている。また、下本体部３ａは、Ｃ字状の内周側が、上固定部材２の上本体部２ａと第一膨出部２ｃ及び第二膨出部２ｄとで形成されている内周形状の一部と略同じ形状に形成されている。第一雌ネジ孔３ｂ及び第二雌ネジ孔３ｃは、平面視において上固定部材２の第一貫通孔２ｅ及び第二貫通孔２ｆと同じ位置に形成されている。
【００２８】
ガイド孔３ｄは、内周形状がガイド部材６の外周形状よりも若干大きい六角柱形状に形成されている。これにより、ガイド孔３ｄがガイド部材６を挿入させた状態では、ガイド部材６の長手方向へは相対的に移動（摺動）させることができるものの、ガイド部材６の軸芯周りには回転不能である。
【００２９】
第一雄ネジ部材４は、上固定部材２の第一貫通孔２ｅよりも大径の第一頭部４ａと、第一頭部４ａから下方へ棒状に延びており外径が貫通孔２ｄよりも小径で外周に雄ネジが形成されている第一雄ネジ部４ｂと、第一雄ネジ部４ｂの下端から下方へ棒状に延びており外径が第一雄ネジ部４ｂよりも小径の軸部４ｃと、及び軸部４ｃの下端から第一雄ネジ部４ｂの外径よりも外方へ延出している延出部４ｄ、を備えている。
【００３０】
第一雄ネジ部材４の第一雄ネジ部４ｂは、下固定部材３の第一雌ネジ孔３ｂの雌ネジと螺合する雄ネジが形成されている。この第一雄ネジ部４ｂは、その軸方向の長さが、上本体部２ａの内径（取付孔Ｈの直径）の約２倍に形成されている。軸部４ｃは、外周面が滑らかな円柱状に形成されている。また、軸部４ｃは、その軸方向の長さが、第一雄ネジ部４ｂの長さの約１／２に形成されている。延出部４ｄは、図２（ｂ）に示すように、本実施形態では、Ｅリングとされており、軸部４ｃの外周下端に形成されている溝４ｅに着脱自在に取付けられている。
【００３１】
第一雄ネジ部材４は、延出部４ｄを取外した状態とすることにより、上固定部材２の第一貫通孔２ｅや下固定部材３の第一雌ネジ孔３ｂに、第一雄ネジ部４ｂや軸部４ｃを挿通させることができる。また、貫通孔２ｄや第一雌ネジ孔３ｂに、第一雄ネジ部４ｂや軸部４ｃを挿通した状態で、延出部４ｄを取付けることにより、第一貫通孔２ｅや第一雌ネジ孔３ｂ等から抜けないようにすることができる。
【００３２】
第二雄ネジ部材５は、上固定部材２の第二貫通孔２ｆよりも大径の第二頭部５ａと、第二頭部５ａから下方へ棒状に延びており外径が貫通孔２ｄよりも小径で外周に雄ネジが形成されている第二雄ネジ部５ｂと、第二雄ネジ部５ｂの下端から下方へ向うに従って径が小さくなる円錐台状の突起部５ｃと、を備えている。
【００３３】
第二雄ネジ部材５の第二雄ネジ部５ｂは、下固定部材３の第二雌ネジ孔３ｃの雌ネジと螺合する雄ネジが形成されている。この第二雄ネジ部５ｂは、軸方向の長さが、第一雄ネジ部４ｂの長さと同じに形成されている。
【００３４】
ガイド部材６は、棒状で外周が六角形に形成されており、下端に下方へ向うに従って径が小さくなる円錐台状の突起部６ａを備えている。このガイド部材６は、水栓取付装置１を天板Ｔの取付孔Ｈに固定した状態で、その下端が第一雄ネジ部材４の下端と略おなじ高さとなる長さに形成されている。
【００３５】
本実施形態の水栓取付装置１は、真鍮やステンレス、亜鉛ダイカスト等の耐食性に優れた金属によって形成されている。
【００３６】
次に、本実施形態の水栓取付装置１を天板Ｔの取付孔Ｈに上側から固定する方法を、主に図３乃至図５を参照して説明する。水栓取付装置１は、上固定部材２の第一膨出部２ｃ及び第二膨出部２ｄにおいて上本体部２ａから下方へ突出している部分を挿入することができる大きさの取付孔Ｈに取付けることができ、第一膨出部２ｃ及び第二膨出部２ｄの下方へ突出している部分の外周径よりも若干大きい径の取付孔Ｈに取付けることができる。この水栓取付装置１は、取付孔Ｈに固定する前の状態では、第二雄ネジ部材５が上固定部材２から取外されており、上固定部材２の第一貫通孔２ｅに挿入されている第一雄ネジ部材４とガイド部材６に、下固定部材３が挿通されている。また、上固定部材２の下面に、薄い円環状のパッキン８が貼り付けられている（図１等を参照）。このパッキン８により、上固体部材２と天板Ｔとの間を水密にシールすることができる他、上固定部材２と天板Ｔとのガタツキをなくすことができ、上固定部材２を介して水栓Ｓを安定した状態に取付けることができる。
【００３７】
固定する前の状態で、第一雄ネジ部材４の第一頭部４ａを第一膨出部２ｃの上面に当接させると共に、第一雄ネジ部材４の下端の延出部４ｄに下固定部材３を当接させた状態とする（図２において第二雄ネジ部材５を外した状態）。これにより、上固定部材２に対して下固定部材３が最も離れた状態となる。
【００３８】
この状態で、下固定部材３において第二雌ネジ孔３ｃ側の端部から天板Ｔの取付孔Ｈに挿入されるように全体を傾けて、天板Ｔの上側から取付孔Ｈに下固定部材３を挿入し（図３（ａ）を参照）、天板Ｔの下側に下固定部材３を位置させてから、天板Ｔに上固定部材２を載置する（図３（ｂ）を参照）。この際に、上固定部材２において第一膨出部２ｃ及び第二膨出部２ｄの上本体部２ａから下方へ突出している部位を、取付孔Ｈ内に挿入させた後に、上固定部材２を天板Ｔの上面に沿って移動させて、取付孔Ｈの軸芯と上固定部材２の軸芯とを合わせる。
【００３９】
上固定部材２を天板Ｔに載置したら、次に、第一雄ネジ部材４を上方へ移動させることにより、第一雄ネジ部材４の下端の延出部４ｄに当接している下固定部材３を、第一雄ネジ部材４と共に上昇させ、下固定部材３を天板Ｔの下面に当接させる（図４（ｃ）を参照）。この際に、ガイド部材６が、下固定部材３のガイド孔３ｄに摺動可能且つ回転不能に挿入されていることから、下固定部材３は上下に延びた軸周りに対して回転することなく上昇する。つまり、下固定部材３は、その第二雌ネジ孔３ｃが、上固定部材２の第二膨出部２ｄの第二貫通孔２ｆに対して同軸上に位置したままの状態で上昇する。
【００４０】
そして、下固定部材３を天板Ｔの下面に当接させた状態で、上固定部材２の第二貫通孔２ｆに上側から第二雄ネジ部材５の第二雄ネジ部５ｂを挿入させて（図４（ｄ）を参照）、上固定部材２を貫通させた上で、その下端を下固定部材３の第二雌ネジ孔３ｃに挿入させる。この際に、第二雄ネジ部材５の下端には、突起部５ｃが備えられているため、第二雄ネジ部材５の下端を第二雌ネジ孔３ｃへ容易に挿入させることができる。そして、第二雄ネジ部材５を締め付ける方向へ回転させると、第二雄ネジ部５が下固定部材３の第二雌ネジ孔３ｃと螺合することとなる。そして、第二雄ネジ部材５を締め付けることにより、第二雄ネジ部材５側において上固定部材２と下固定部材３とで天板Ｔが挟まれた状態で締結される（図５（ｅ）を参照）。
【００４１】
その後、第一雄ネジ部材４を下降させて、第一雄ネジ部４ｂの下端を下固定部材３の第一雌ネジ孔３ｂに挿入させると共に、第一雄ネジ部材４を締め付ける方向へ回転させることにより、第一雄ネジ部材４の第一雄ネジ部４ｂが下固定部材３の第一雌ネジ孔３ｂと螺合することとなる。そして、第一雄ネジ部材４を締め付けることにより、第一雄ネジ部材４側においても上固定部材２と下固定部材３とで天板Ｔが挟まれた状態で締結される（図５（ｆ）を参照）。
【００４２】
これら第一雄ネジ部材４及び第二雄ネジ部材５の締め付けにより、下固定部材３の複数の突部３ｅが、天板Ｔの下面に突き刺さり、下固定部材３が天板Ｔの面に沿った方向へ動くのが規制される。従って、天板Ｔの取付孔Ｈに対して水栓取付装置１が位置不動に固定された状態となる。
【００４３】
天板Ｔの取付孔Ｈに水栓取付装置１を固定したら、上固定部材２の保持溝２ｇにＯリング７を装着保持させる。その後、取付ける水栓Ｓの下端から延びている二つの供給管Ｓ１を、上固定部材２における上本体部２ａの筒内の空きスペース及び取付孔Ｈを通して、天板Ｔの下側へ延出させる。そして、水栓Ｓの下端に上固定部材２の上本体部２ａを挿入させた上で、水栓Ｓの外側から図示しないビスを上固定部材２の水栓固定孔２ｆに捩じ込むことにより、水栓Ｓが天板Ｔに取付けられる（図１を参照）。
【００４４】
このように、本実施形態の水栓取付装置１によれば、ガイド部材６によって下固定部材３を回動不能としており、上固定部材２の第二貫通孔２ｆと、下固定部材３の第二雌ネジ孔３ｃとを一致させることができるため、第二雄ネジ部材５を第二雌ネジ孔３ｃへ簡単に螺合させることができ、水栓取付装置１を天板Ｔの取付孔Ｈに対して上側から容易に固定することができる。
【００４５】
また、第一雄ネジ部材４の第一雄ネジ部４ｂの下端に小径の軸部４ｃを備えているため、例えば、第一雄ネジ部４ｂの長さを必要最小限の長さとした場合、軸部４ｃの下端に下固定部材３を位置させることにより上固定部材２から下固定部材３を充分に離れるようにすることができ、下固定部材３を取付孔Ｈへ挿入し易くすることができると共に、第一雄ネジ部材４により締結させる際に、第一雄ネジ部材４を回転させる回数を必要最小限にすることができ、固定作業にかかる手間を少なくすることができる。
【００４６】
更に、第二雄ネジ部材５の下端に突起部５ｃを備えているため、ガタツキ等によって第二雄ネジ部５ｂの下端の中心が第二雌ネジ孔３ｃの中心とずれてしまっても、下端の突起部５ｃが第二雌ネジ孔３ｃに挿入されることにより、その下端の中心を第二雌ネジ孔３ｃの中心へ誘導することができ、第二雌ネジ孔３ｃに対して第二雄ネジ部５ｂを容易に螺合させることができる。
【００４７】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４８】
例えば、上記の実施形態では、第一雄ネジ部材５の突起部５ｃとして、着脱自在なＥリングとしたものを示したが、これに限定するものではなく、カシメ加工やバーリング加工等により取外し不能な突起部５ｃとしても良い。
【００４９】
また、上記の実施形態では、上固定部材２において、第一膨出部２ｃと第二膨出部２ｄとを周方向に離れた例を示したが、これに限定するものではなく、第一膨出部２ｃと第二膨出部２ｄとが周方向に連続した一つの膨出部としても良い。
【符号の説明】
【００５０】
１  水栓取付装置
２  上固定部材
２ａ  上本体部
２ｂ  フランジ部
２ｃ  第一膨出部
２ｄ  第二膨出部
２ｅ  第一貫通孔
２ｆ  第二貫通孔
３  下固定部材
３ａ  下本体部
３ｂ  第一雌ネジ孔
３ｃ  第二雌ネジ孔
３ｄ  ガイド孔
３ｅ  突部
４  第一雄ネジ部材
４ａ  第一頭部
４ｂ  第一雄ネジ部
４ｃ  軸部
４ｄ  延出部
４ｅ  溝
５  第二雄ネジ部材
５ａ  第二頭部
５ｂ  第二雄ネジ部
５ｃ  突起部
６  ガイド部材
Ｔ  天板
Ｈ  取付孔
Ｓ  水栓
【先行技術文献】
【特許文献】
【００５１】
【特許文献１】特開２００２−２５００６０号公報
【特許文献２】特開２０１０−０１３８５２号公報
【図１】
2014205950.tif 000003
【図２】
2014205950.tif 000004
【図３】
2014205950.tif 000005
【図４】
2014205950.tif 000006
【図５】
2014205950.tif 000007